(57)【要約】【課題】ステープラーを、水平状態と垂直状態の綴じ用紙を綴じられるように設置した場合や、天地逆方向や仰角平面上で４５度方向に回転作動させるようにした場合でも、ステープル脚の切断屑を確実に収容部へ排出させる。【解決手段】カッタユニット１２によって切断されたステープル脚の切断屑を、上記カッタユニット１２に形成した開口部２１を経由させてカッタユニット１２の下面側へ排出させるとともに、該切断屑を前記開口部２１と連続されるようにカッタユニット１２の下面側に配置した一対のシュータ２２によってステープラー１の両側方向に誘導させ、該シュータ２２によって誘導された切断屑をステープラー１の両側面に形成した誘導ケース部２８を介してステープラー１の後方下部に形成した収容部２９へ誘導させる。【選択図】図１
2006026859.tif 000002
【特許請求の範囲】
【請求項１】
綴じ用紙に向けてステープルを打ち出す打込機構部と、該打込機構部に対して近接及び離反するように作動可能に支持されるとともに綴じ用紙を貫通したステープル脚を綴じ用紙の裏面に沿って折り曲げるクリンチャ機構部と、前記クリンチャ機構部内に形成されるとともに綴じ用紙の裏面側に突出されたステープル脚の先端部を切断するカッタユニットとを備えたステープラーにおいて、前記カッタユニットを固定カッタ部材とこの固定カッタ部材に対して相対的に移動可能な可動カッタとから構成し、該カッタユニットによって切断されたステープル脚の切断屑を、上記カッタユニットに形成した開口部を経由させてカッタユニットの下面側へ排出させるとともに、該切断屑を前記開口部と連続されるようにカッタユニットの下面側に配置した一対のシュータによってステープラーの両側に向けて誘導させ、該シュータによって誘導された切断屑をステープラーの両側面に形成した誘導ケース部を介してステープラーの後方下部に形成した収容部へ誘導させるようにしたことを特徴とするステープラーのステープル脚切断屑処理装置。
【請求項２】
前記ステープラーの後方下部に形成されている収容部に該収容部の下面側に向けて開口された開口部を形成するとともに、該開口部に開口部を閉鎖する閉鎖位置と開口部を開放させる開放位置との間で操作可能な開閉蓋を形成して、該開閉蓋を開放させることによって前記収容部内に蓄積した切断屑を排出できるようにしたことを特徴とする請求項１に記載のステープラーのステープル脚切断屑処理装置。
【発明の詳細な説明】
【技術分野】
【０００１】
本発明はステープラーによつて厚さの異なる綴じ用紙を綴る際に、この綴じ用紙を貫通して綴じ用紙の反対側の面に突出されたステープル脚の先端部を切断するカッタユニットを備えたステープラーに関し、特に、前記カッタユニットによって切断されたステープル脚の切断屑をステープラー内に飛散しないようにするステープラーのステープル脚切断屑処理装置に関する。
【背景技術】
【０００２】
印刷機や複写機等に内蔵されて印刷や複写等の処理がされた複数枚の用紙を束ねて綴じ合わせするようにしたステープラーにおいては、綴じ用紙の枚数の変動に対応させるために綴じ用紙の裏面側に貫通されたステープル脚の先端部分を切断するカッタユニットを備えたステープラーが提案されており、これによって、綴じ用紙から突出したステープル脚の長さを一定にして薄い綴じ用紙から厚い綴じ用紙までを安定した形状で綴じられるようにしている。上記カッタユニットは固定カッターとこの固定カッターに対して相対的に移動されるようにした可動カッタによって構成されており、綴じ用紙を貫通して両カッターの間に進入したステープル脚を、綴じ用紙からの貫通部分のステープル脚部の長さがほぼ一定となるようにステープル脚の先端部分を切断するようにしている。
【０００３】
このようなカッタユニットを備えてステープル脚の先端部分を切断するようにしたステープラーでは、上記カッタユニットによって切断されたステープル脚の切断屑がステープラーの内部で飛散して駆動ギヤやリンク等の作動機構に挟まって作動障害を発生したり、又は制御用の回路基板上へ落下して回路をショートさせて破損させるなどの問題を生じてしまうことがある。このため、従来のステープラーでは、カッタユニットによって切断されたステープル脚の切断屑を所定の箇所に集積させるようにして、切断屑がステープラーの内部に飛散するのを防止するようにした切断屑処理装置を設けた技術が既に提案されている。従来から知られているステープル脚の切断屑処理装置は、カッタユニットからステープル脚の切断屑が排出される排出部に、切断屑を収容するための収容容器を傾斜させて配置し、この収容容器の下端に開口部を形成して、この開口部に通常時には開口部を閉鎖するように重力によって作動する閉鎖蓋部材を設け、収容容器に溜められた切断屑を外部へ排出できるようにしている。
【特許文献１】実公平３−２５９３１号公報
【発明の開示】
【発明が解決しようとする課題】
【０００４】
印刷機や複写機等に内蔵されるとともにこれらの機器内の用紙の搬送路に沿って配置されて印刷や複写された綴じ用紙を綴じ合わせするようにしたステープラーでは、水平や垂直方向またはその他の任意の角度で傾斜した状態の綴じ用紙に綴じ合わせを行う場合や、又はこれらの綴じ用紙の任意の複数箇所の綴じ合わせを行うためにステープラーを天地逆方向や仰角平面上で４５度方向に回転させながら作動させるようにしている。前述の従来技術によるステープル脚切断屑処理装置では、カッタユニットからの切断屑排出部に装着される収容容器がステープラーの前方に装着されており、また、収容容器の下端部に形成されている開口部を閉鎖する開閉蓋部材を重力によって作動させるようにしているので、例えばこのステープラーをほぼ垂直状態の綴じ用紙を綴じ合わせするように垂直方向に向けて設置した場合には、切断屑が収容容器内へ排出されず、また開閉蓋部材による下端開口部の閉鎖が行われず作動中に開放してしまうので、このように多方向に向けての設置ができず新たにステープラーの設計を行う必要がある。
【０００５】
本発明は、上記従来技術における問題点を解消して、水平状態と垂直状態の綴じ用紙を綴じられる何れの向きに設置した場合でも、更に、ステープラーを天地逆方向や仰角平面上で４５度方向に回転作動させた場合でも、ステープル脚の切断屑を確実に収容部へ誘導させることができるようにしたステープル脚の切断屑処理装置を提供することを課題とする。
【課題を解決するための手段】
【０００６】
上記課題を解決するため、本発明に係るステープル脚の切断屑処理装置は、綴じ用紙に向けてステープルを打ち出す打込機構部と、該打込機構部に対して近接及び離反するように作動可能に支持されるとともに綴じ用紙を貫通したステープル脚を綴じ用紙の裏面に沿って折り曲げるクリンチャ機構部と、前記クリンチャ機構部内に形成されるとともに綴じ用紙の裏面側に突出されたステープル脚の先端部を切断するカッタユニットとを備えたステープラーにおいて、前記カッタユニットを固定カッタ部材とこの固定カッタ部材に対して相対的に移動可能な可動カッタとから構成し、該カッタユニットによって切断されたステープル脚の切断屑を、上記カッタユニットに形成した開口部を経由させてカッタユニットの下面側へ排出させるとともに、該切断屑を前記開口部と連続されるようにカッタユニットの下面側に配置した一対のシュータによってステープラーの両側に向けて誘導させ、該シュータによって誘導された切断屑をステープラーの両側面に形成した誘導ケース部を介してステープラーの後方下部に形成した収容部へ誘導させるようにしたことを特徴とする。
【０００７】
また、請求項２の発明は、前記ステープラーの後方下部に形成されている収容部に該収容部の下面側に向けて開口された開口部を形成するとともに、該開口部に開口部を閉鎖する閉鎖位置と開口部を開放させる開放位置との間で操作可能な開閉蓋を形成して、該開閉蓋を開放させることによって前記収容部内に蓄積した切断屑を排出できるようにしたことを特徴とする。
【発明の効果】
【０００８】
本発明によれば、前記カッタユニットを固定カッタ部材とこの固定カッタ部材に対して相対的に移動可能な可動カッタとから構成し、該カッタユニットによって切断されたステープル脚の切断屑を、上記カッタユニットに形成した開口部を経由させてカッタユニットの下面側へ排出させるとともに、該切断屑を前記開口部と連続されるようにカッタユニットの下面側に配置した一対のシュータによってステープラーの両側に向けて誘導させ、該シュータによって誘導された切断屑をステープラーの両側面に形成した誘導ケース部を介してステープラーの後方下部に形成した収容部へ誘導させるようにしているので、水平方向及び垂直方向に配置された綴じ用紙を綴じ合わせするようにステープラー本体を水平方向又は垂直方向に設置しても、更に、ステープラーを天地逆方向や仰角平面上で４５度方向に回転作動させた場合でも、切断屑を一対のシュータを介してステープラーの両側面方向に誘導して、ステープラーの両側面に設置した誘導ケース部を経由させて収容部内へ誘導排出させることができ、多種の複写機等に内蔵させることが可能となる。
【０００９】
また、請求項２の発明によれば、前記ステープラーの後方下部に形成されている収容部に該収容部の下面側に向けて開口された開口部を形成するとともに、該開口部に開口部を閉鎖する閉鎖位置と開口部を開放させる開放位置との間で操作可能な開閉蓋を形成して、該開閉蓋を開放させることによって前記収容部内に蓄積した切断屑を排出できるようにしているので、収容部内に蓄えられた切断屑を屑収容部内から容易に外部へ排出させることができ、収容部内に溜められた切断屑の処理も容易に行うことができる。
【発明を実施するための最良の形態】
【００１０】
水平状態又は垂直状態の何れの綴じ用紙をも綴じられるように設置した場合でも、更に、ステープラーを天地逆方向や仰角平面上で４５度方向に回転作動させた場合でも、ステープル脚の切断屑を確実に収容部へ誘導させるという目的を、カッタユニットを固定カッタ部材とこの固定カッタ部材に対して相対的に移動可能な可動カッタとから構成し、該カッタユニットによって切断されたステープル脚の切断屑を、上記カッタユニットに形成した開口を経由させてカッタユニットの下面側へ排出させるとともに、該切断屑を前記開口と連続されるように開口の下面側に配置した一対のシュータによってステープラーの両側に向けて誘導させ、該シュータによって誘導された切断屑をステープラーの両側面に形成した誘導ケース部を介してステープラーの後方下部に形成した収容部へ誘導させることにより実現したもので、より具体的な実施例を以下に説明する。
【実施例１】
【００１１】
以下、図に示す本発明の実施例を説明する。図１及び図２は本発明のステープル脚の切断屑処理装置を実施したステープラー１を示すもので、この実施例のステープラー１は、印刷機や複写機等の内部において、印刷や複写等の処理がされた複数枚の用紙を綴じ合わせするようにした機器内蔵タイプのステープラーである。ステープラー１の外郭を形成している機枠２内には電動モータ３が配置されており、更に機枠２の側面には前記電動モータ３によって回転駆動される駆動カム４が配置されている。上記機枠２の下部には前記駆動カム４によって駆動されてコ字形に成形されたステープルを綴じ用紙に向けて打ち出す打込機構部５が形成されている。更に、機枠２には綴じ用紙を載置するテーブル６が形成されており、このテーブル６上に配置された綴じ用紙に向けて前記打込機構部５によってステープルがテーブル６の下面側から上向きに打ち込まれる。
【００１２】
前記機枠２の上部には前記打込機構部５によって打ち込みされてテーブル６上に配置された綴じ用紙の上面側へ貫通したステープル脚を綴じ用紙の上面に沿って折り曲げるクリンチャ機構部７が形成されている。前記クリンチャ機構部７は後端部が機枠２に対して回動可能に支持されたクリンチャフレーム８を備えており、前記テーブル６上に綴じ用紙が配置された後に前記テーブル６の上面とこのクリンチャフレーム８との間で綴じ用紙を挟持するようにクリンチャフレーム８が回動作動される。図１及び図３に示すように、クリンチャ機構部７には綴じ用紙を貫通して綴じ用紙の上面側に突出されたステープル脚と係合してこのステープル脚を綴じ用紙の上面に沿って屈曲させる一対の可動クリンチャ９が前記クリンチャフレーム８の前端部に装着されている支持プレート１０に各々回動軸１１によって対して回動可能に設けられている。
【００１３】
更に、前記クリンチャ機構部７には、綴じ用紙を貫通したステープル脚の綴じ用紙から突出された部分の長さを一定長さにするようにステープル脚の先端部分を切断するカッタユニット１２が形成されている。該カッタユニット１２は図４に示すように、綴じ用紙を貫通して綴じ用紙の上面側に突出された一対のステープル脚の間に配置される切断縁１４が前端部に形成された板状の固定カッタ１３と、この固定カッタ１３の上面に密着した状態で回動軸１５を中心として回動可能に支持されている一対の可動カッタ１６とにより構成されており、一対の各可動カッタ１６の先端には前記固定カッタ１３の切断縁１４と対向した切断縁１７が形成されており、各々の切断縁１４、１７間に配置されたステープル脚を、可動カッタ１６を前記回動軸１５を中心として切断縁１７が一対のステープル脚の外側から内側へ作動させるように回動させて、両切断縁１４、１７との間でステープル脚の先端部分を切断して綴じ用紙の上面に突出したステープル脚の長さを一定にするようにしている。
【００１４】
前記カッタユニット１２を形成している板状の固定カッタ１３が前記可動クリンチャ９を支持している支持プレート１０の後方側に形成されている支持基盤１８の上面にスライド可能に支持されており、図３に示すように、可動クリンチャ９が待機位置に回動されている時に前記切断縁１４、１７の部分が前記打込機構３から打ち出されるステープルと対向する前方位置に配置され、この位置で綴じ用紙を貫通して前記切断縁１４、１７の間に進入したステープル脚を可動カッタ１６を固定カッタ１３に対して回動させることによって切断する。そして、ステープル脚Ｓ１を切断した後に、図５に示すように、前記カッタユニット１２を支持基盤１８上で後方側へスライド移動させて可動クリンチャ９の作動領域から退避させ、これによって可動クリンチャ９がカッタユニット１２と干渉せずに、ステープル脚を綴じ用紙の裏面に沿って屈曲させてステープル綴じを行えるようにしている。
【００１５】
上記ステープラー１には前記カッタユニット１２によってステープル脚を切断した際に生ずる切断屑がステープラー１内に飛散しないようにする切断屑処理装置が形成されている。切断屑処理装置は、カッタユニット１２によって切断された切断屑をカッタユニット１２の下面側へ排出させる開口部２１と、前記開口部２１を介してカッタユニット１２の下面側に排出された切断屑をステープラー１の両側面に誘導させるシュータ２２及び、ステープラー１の両側面に誘導された切断屑をステープラー１の機枠２の両側面に沿って誘導してステープラー１の後方下部に集積して収容するようにした切断屑収容部２３とによって構成されている。
【００１６】
切断屑をカッタユニット１２の下面側へ排出させる前記開口部２１は、前記板状の固定カッタ１３にこの固定カッタ１３の上面側から下面側へ貫通して形成されている開口２４と、前記固定カッタ１３をスライド可能に支持している支持基盤１８に該支持基盤１８の上面側から下面側へ貫通させて形成された開口２５によって構成されている。前記固定カッタ１３に形成された開口２４の前方側の縁には傾斜面２４ａが形成されており、この傾斜面２４ａによって可動カッタ１６の作動によって切断された切断屑が開口２４内へ誘導されるようにしている。ステープル脚を切断するために図３及び図４に示す前方位置に配置されたカッタユニット１２が、ステープル脚を切断した後で図５及び図６に示す後方側へスライド作動することによって、前記固定カッタ１３の開口２４と支持基盤１８の開口２５が整合して、可動カッタ１６の回動によって切断された切断屑が両開口２４、２５を経由してカッタユニット１２の下面側へ排出されるようにしている。
【００１７】
前記カッタユニット１２の下面側に排出された切断屑をステープラー１の両側面方向に誘導させるシュータ２２は、前記支持基盤１８に形成された開口２５の下面側を覆うように支持基盤１８の裏面に装着された第１シュータ２６と、各々の一端側が前記第１シュート部材２６にそれぞれ回動可能に支持されるとともに他端側がステープラー１の機枠２の側面の外側に配置されている一対の第２シュート部材２７とによって構成されており、この一対の第２シュート部材２７は図３乃至図５に示すように、ステープラー１の中心線に対して両側方向に対称的に形成されており、ステープラー１の設置の方向がどのようになっても切断屑をステープラー１の何れかの側面方向へ排出誘導ができるようにしている。
【００１８】
図２及び図８に示すように、ステープラー１の機枠２の側面には、前記第２シュート部材２７によって機枠２の側面へ誘導された切断屑を収容する切断屑収容部２３が形成されている。切断屑収容部２３はステープラー１の両側に配置される機枠２の各々の機枠２の外側に沿って配置される一対の誘導ケース部２８と、該誘導ケース部２８と連続して形成されている収容部２９とにより形成されており、これらの一対の誘導ケース部２８と収容部２９とがプラスチック材等によってほぼ中空状に一体に形成されている。図７に示すように、前記一対の第２シュート部材の機枠２の外側に配置されている各端部が前記誘導ケース部２８内に挿入されて配置されており、前記第２シュート部材２７を介して排出される切断屑がこの誘導ケース部２８内へ誘導されるようにしている。前記収容部２９はステープラー１の後部下方に配置されるように形成されており、前記誘導ケース部２８内へ誘導された切断屑がこの収容部２９内に溜めるようにしている。
【００１９】
図８に示すように、前記切断屑収容部２３を形成している収容部２９の下部には収容部２９内に貯められた切断屑を切断屑収容部２３内から排出させるための開口部３０が形成されており、この開口部３０は前記収容部２９の下端位置から下方に向けて形成されており、この開口部３０にはこの開口部３０を閉鎖又は開放させるように支軸３２によって回動可能に支持された蓋部材３１が装着されている。蓋部材３１は通常時に前記開口部３０を閉鎖させるように図示しないバネ等によって付勢されており、この蓋部材３１と一体に形成されている操作部３３を操作することによって前記開口部３０を開放するように図中の鎖線で示すように回動され、収容部２９内の切断屑を外部へ排出できるようにしている。
【００２０】
上記のように、上記実施例に係るステープル脚の切断屑処理装置によれば、カッタユニット１２によりステープル脚を切断することによって発生したステープル脚の切断屑を、固定カッタ１３の切断縁１４の後方側に形成されている開口２４と、カッタユニット１２をスライド可能に支持している支持基盤１８に形成した開口２５とを経由させてカッタユニット１２の下面側に排出させ、この切断屑を前記支持基盤１８の下面に形成されているシュータ２２によって誘導させてステープラー１の両側に形成した誘導ケース部２８へ誘導させて、誘導ケース部２８を介してステープラー１の後方下部に形成されている収容部２９内へ集めるようにしているので、カッタユニット１２によって切断されたステープル脚の切断屑が、ステープラー１の駆動機構や作動部品の隙間に進入して駆動機構等に作動障害等が発生することが防止できる。
【００２１】
更に、カッタユニット１２の下面側に形成した第１シュート部材２６とこの第１シュート部材２６に対して揺動可能に連結されている一対の第２シュート部材２７を介して、カッタユニット１２の下面側に排出された切断屑をステープラー１の両側に形成した誘導ケース部２８内へ誘導させるようにしているので、ステープラー１が内蔵される機器内て水平方向及び垂直方向に配置される綴じ用紙を綴じ合わせできるように、ステープラー１本体を水平方向又は垂直方向に設置しても、更に、ステープラー１を天地逆方向や仰角平面上で４５度方向に回転作動させた場合でも前記一対の第２シュート部材２７を介してステープラー１の何れかの側面方向に誘導させて、切断屑を誘導ケース部２８を介して収容部内２９へ排出させることができ、多種の複写機等に内蔵させることが可能となる。
【図面の簡単な説明】
【００２２】
【図１】本発明のステープル脚切断屑処理装置を実施したステープラーの斜視図
【図２】図１と同じステープラーの側面図
【図３】図１のステープラーにおけるクリンチャ機構部の要部を示す斜視図
【図４】図１のステープラーにおけるカッタユニットを示す斜視図
【図５】後方の退避位置へ作動された図４と同じカッタユニットを示す平面図
【図６】図５におけるＡ−Ａ線での断面図
【図７】図１と同じステープラーの正面図
【図８】図１と同じステープラーの背面図
【符号の説明】
【００２３】
１  ステープラー
５  打込機構部
７  クリンチャ機構部
１２  カッタユニット
１３  固定カッタ
１６  可動カッタ
２１  排出部
２２  シュータ
２３  切断屑収容部
２８  誘導ケース部
２９  収容部
【図１】
2006026859.tif 000003
【図２】
2006026859.tif 000004
【図３】
2006026859.tif 000005
【図４】
2006026859.tif 000006
【図５】
2006026859.tif 000007
【図６】
2006026859.tif 000008
【図７】
2006026859.tif 000009
【図８】
2006026859.tif 000010